(57)【要約】【課題】太陽光発電素子により得た電力を効率良く利用する。【解決手段】太陽光発電素子１と、該太陽光発電素子１により得た直流の電力を変圧する直流電圧変換手段２と、該直流電圧変換手段２からの直流の出力をそのまま直流電力消費負荷３に導通する直流送電経路４を備えたことによって、電力の変換回数を極力少なくして、変換による電力ロスを削減する。【選択図】図１
2010233435.tif 000002
【特許請求の範囲】
【請求項１】
太陽光発電素子と、該太陽光発電素子により得た直流の電力を変圧する直流電圧変換手段と、該直流電圧変換手段からの直流の出力をそのまま直流電力消費負荷に導通する直流送電経路を備えて成したことを特徴とする電力供給システム。
【請求項２】
商用交流電力を変圧すると共に整流する変圧整流手段を備え、該変圧整流手段からの直流の出力を系統連係させたことを特徴とする請求項１記載の電力供給システム。
【請求項３】
太陽光発電素子により得た電力を蓄え放電する蓄電手段を備えたことを特徴とする請求項１又は２記載の電力供給システム。
【請求項４】
太陽光発電素子により得た直流の電力を変圧すると共に交流に変換する変圧直交変換手段と、該変圧直交変換手段からの交流の出力を交流電力消費負荷に導通する交流送電経路を備えて交流電力供給経路と成し、かかる交流電力供給経路を併設したことを特徴とする請求項１、２又は３記載の電力供給システム。
【請求項５】
商用交流電力を交流電力供給経路に系統連係させたことを特徴とする請求項４記載の電力供給システム。
【発明の詳細な説明】
【技術分野】
【０００１】
本発明は、太陽光発電素子により得た電力を効率良く利用する電力供給システムに関する。
【背景技術】
【０００２】
エネルギーとしての太陽光の利用は、エキルギー消費量の増大、化石燃料枯渇化の進行により、従来より注目を集めていたところ、特に近年では、温室効果ガスの排出量の削減に多大な効果が見込めることから、期待度が更に高まっている。
具体的には、太陽光発電素子により得た電力を産業用および民生用として供給するシステムが広く知られており、かかるシステムは、多数の太陽光発電素子を直列接続して太陽電池モジュールと成し、該太陽電池モジュールにより発電した直流の電力を交流に変換する直交変換手段を備えているのが一般的である（例えば、特許文献１および２参照）。
これは、太陽光発電素子が発電可能な電力は直流であるが、電力会社が供給する商用交流電力と系統を連係させたり、交流電力にて駆動する従前からの各種機器に供給するためには、交流に変換することが必要不可欠であるからである。
【先行技術文献】
【特許文献】
【０００３】
【特許文献１】特公平６−４０７０８号公報（請求項１の冒頭部分）
【特許文献２】特許２７１６７２１号公報（請求項１の冒頭部分）
【発明の概要】
【発明が解決しようとする課題】
【０００４】
ところが、オーディオ機器、パーソナルコンピューター等の精密機器の多くは、直流の電力にて駆動されることから、一般の家庭や法人事務所等に供給された交流の電力をＡＣアダプターにて、直流に変換せねばならず、この様に電力変換を繰り返すことになるが、一般に変換効率は良くても約９５％程度であり、発熱によるロスがあることから、電力変換を繰り返す度に、電力を無駄に消費することになっていた。
【課題を解決するための手段】
【０００５】
本発明は、上記背景技術に基づく課題に鑑み、太陽光発電素子と、該太陽光発電素子により得た直流の電力を変圧する直流電圧変換手段と、該直流電圧変換手段からの直流の出力をそのまま直流電力消費負荷に導通する直流送電経路を備えたことによって、電力変換回数を極力少なくして、変換による電力ロスを削減し、太陽光発電素子により得た電力を効率良く利用する様にして、上記課題を解決する。
【発明の効果】
【０００６】
要するに本発明は、太陽光発電素子と、該太陽光発電素子により得た直流の電力を変圧する直流電圧変換手段と、該直流電圧変換手段からの直流の出力をそのまま直流電力消費負荷に導通する直流送電経路を備えたので、従前のシステムでは行っていた不要な電力変換を省略して、直流電力にて駆動される様々な受電負荷に対し、それらが要する電圧に調製した直流の電力を供給することができることから、電力変換に伴う、発熱による電力ロスを削減して、太陽光発電素子により得た電力を効率良く利用することが出来る。
従って、燃料の燃焼を利用の火力発電により得た電力の使用料を削減して、温室効果ガスの排出量を低減し、環境保全、温暖化防止に貢献することが出来る。
【０００７】
商用交流電力を変圧すると共に整流する変圧整流手段を備え、該変圧整流手段からの直流の出力を系統連係させたので、季節、天候、時刻等の諸条件により、太陽光発電素子による発電量が減少した場合であっても、電力を外部から導入して補足し、安定供給することが出来る。季節、天候、時刻等の諸条件により、太陽光発電素子による発電量が減少した場合であっても、電力を外部から導入して補足し、安定供給することが出来る。
【０００８】
太陽光発電素子により得た電力を蓄え放電する蓄電手段を備えたので、太陽光発電素子の発電量が使用量を超えた場合は蓄電し発電量が不足の場合は放電することにより、発電した電力を余すことなく活用することが出来る。
【０００９】
太陽光発電素子により得た直流の電力を変圧すると共に交流に変換する変圧直交変換手段と、該変圧直交変換手段からの交流の出力を交流電力消費負荷に導通する交流送電経路を備えて交流電力供給経路と成し、かかる交流電力供給経路を併設したので、冷蔵庫、掃除機、エアコンディショナー等の様に、交流電力を利用する受電負荷にも電力供給をすることが出来て、実用性を更に高めることが出来る。
【００１０】
商用交流電力を交流電力供給経路に系統連係させたので、上記と同様の理由により、電力の更なる安定供給を図ることが出来る等その実用的効果甚だ大である。
【図面の簡単な説明】
【００１１】
【図１】本発明の電力供給システムの概略を示す構成図である。
【発明を実施するための形態】
【００１２】
以下、一実施例を示し本発明につき説明する。
図１に示す様に、本発明の電力供給システムは、太陽光発電素子１と、該太陽光発電素子１により得た直流の電力を直流のままで変圧する直流電圧変換手段２と、該直流電圧変換手段２からの直流の出力をそのまま直流電力消費負荷３に導通する直流送電経路４を備えている。
又、商用交流電力５を変圧すると共に整流する変圧整流手段６を備え、該変圧整流手段６からの直流の出力を系統連係させている。
図中、符号７を付したものは、ダイオードであり、８は、前記ダイオード７を介して太陽光発電素子１から供給された電力を必要に応じ蓄え又は放電し、蓄電および放電を制御する機能を具備した蓄電手段である。
尚、実用時には、複数の直流電力消費負荷３に対応せねばならないが、例えば、分電手段９に、太陽光発電素子１の出力と、変圧整流手段６の出力を接続し、分電手段９からの出力を複数系統設けて、各系統毎に直流電圧変換手段２および直流送電経路４を設ける様にすれば良い。
【００１３】
このシステムによれば、太陽光発電素子１により得た電力を交流に変換することなく直流電力消費負荷３へ供給することにより、電力変換に伴う、発熱による電力ロスが削減され、商用交流電力５を系統連係させることにより、太陽光発電素子による発電量が減少した場合であっても、電力が安定供給されるのである。
【００１４】
又、太陽光発電素子１により得た直流の電力を変圧すると共に交流に変換する変圧直交変換手段10と、該変圧直交変換手段10からの交流の出力を交流電力消費負荷11に導通する交流送電経路12を備えて交流電力供給経路13と成し、かかる交流電力供給経路13を併設しており、該交流電力供給経路13に商用交流電力５を系統連係させている。
尚、分電手段14に、変圧直交変換手段10の出力と、商用交流電力５を接続し、分電手段14からの出力を複数系統設ける様にしている。
【００１５】
このシステムによれば、オーディオ機器、パーソナルコンピューター等の直流電力消費負荷３だけではなく、冷蔵庫、掃除機、エアコンディショナー等の交流電力消費負荷11にも対応し、各機器に適切な電力が安定供給されるのである。
【符号の説明】
【００１６】
１  太陽光発電素子
２  直流電圧変換手段
３  直流電力消費負荷
４  直流送電経路
５  商用交流電力
６  変圧整流手段
７  ダイオード
８  蓄電手段
９  分電手段
10  変圧直交変換手段
11  交流電力消費負荷
12  交流送電経路
13  交流電力供給経路
14  分電手段
【図１】
2010233435.tif 000003